(57)【要約】  電子装置で複数のピクチャー又はビデオを同時にキャプチャするためのシステム及び方法。本発明の好ましい実施形態では、電子装置は、第１カメラ及び第２カメラを備えている。第１カメラは、第１ピクチャーを撮影することができ、一方、第１カメラは、第２ピクチャーを撮影することができる。第１ピクチャー及び第２ピクチャーは、ディスプレイスクリーン上に「ピクチャー・イン・ピクチャー」フォーマットで同時に表示することができ、電子装置のメモリに記憶することができ、又はリモート位置へ送信することができる。【選択図】図１
2008507227.tif 000002
【特許請求の範囲】
【請求項１】
電子装置で複数のイメージを同時にキャプチャする方法において、
第１イメージをキャプチャするためにプロセッサへ第１コマンドを送信するステップと、
第２イメージをキャプチャするために前記プロセッサ装置へ第２コマンドを送信するステップと、
前記第１コマンドに応答して前記第１イメージをキャプチャするステップと、
前記第１イメージのキャプチャと実質的に同時に、前記第２コマンドに応答して前記第２イメージをキャプチャするステップと、
前記第１イメージ及び第２イメージに関するデータを処理するステップと、
を備えた方法。
【請求項２】
前記第１及び第２イメージをディスプレイへ送信するステップと、
前記第１及び第２イメージ両方の少なくとも一部分を前記ディスプレイに同時に表示するステップと、
を更に備えた請求項１に記載の方法。
【請求項３】
前記第１及び第２イメージの少なくとも一方は写真である、請求項１に記載の方法。
【請求項４】
前記第１及び第２イメージの少なくとも一方はビデオイメージである、請求項１に記載の方法。
【請求項５】
前記ディスプレイにおける前記第１及び第２イメージの少なくとも一方の位置を変更するために前記プロセッサに第３コマンドを送信するステップと、
前記第３コマンドに応答して前記第１及び第２イメージの少なくとも一方の位置を変更する信号を前記プロセッサから前記ディスプレイへ送信するステップと、
を更に備えた請求項２に記載の方法。
【請求項６】
前記ディスプレイにおける前記第１及び第２イメージの少なくとも一方をリサイズするために前記プロセッサに第３コマンドを送信するステップと、
前記第３コマンドに応答して前記第１及び第２イメージの少なくとも一方をリサイズする信号を前記プロセッサから前記ディスプレイへ送信するステップと、
を更に備えた請求項２に記載の方法。
【請求項７】
前記ディスプレイにおける前記第１及び第２イメージの位置を切り換えるために前記プロセッサに第３コマンドを送信するステップと、
前記第３コマンドに応答して前記第１及び第２イメージの位置を切り換える信号を前記プロセッサから前記ディスプレイへ送信するステップと、
を更に備えた請求項２に記載の方法。
【請求項８】
前記第１イメージ及び第２イメージを前記電子装置に記憶するステップを更に備えた、請求項１に記載の方法。
【請求項９】
前記第１イメージ及び第２イメージをリモート位置へ送信するステップを更に備えた、請求項１に記載の方法。
【請求項１０】
電子装置で複数のイメージを同時にキャプチャするためのコンピュータプログラム製品において、
第１イメージをキャプチャするためにプロセッサへ第１コマンドを送信するコンピュータコードと、
第２イメージをキャプチャするために前記プロセッサ装置へ第２コマンドを送信するコンピュータコードと、
前記第１コマンドに応答して前記第１イメージをキャプチャするためのコンピュータコードと、
前記第１イメージのキャプチャと実質的に同時に、前記第２コマンドに応答して前記第２イメージをキャプチャするためのコンピュータコードと、
前記第１イメージ及び第２イメージに関するデータを処理するためのコンピュータコードと、
を備えたコンピュータプログラム製品。
【請求項１１】
前記第１イメージをディスプレイへ送信するためのコンピュータコードと、
前記第２イメージをディスプレイへ送信するためのコンピュータコードと、
前記第１及び第２イメージ両方の少なくとも一部分を前記ディスプレイに同時に表示するためのコンピュータコードと、
を更に備えた請求項１０に記載のコンピュータプログラム製品。
【請求項１２】
前記第１及び第２イメージの少なくとも一方は写真である、請求項１０に記載のコンピュータプログラム製品。
【請求項１３】
前記第１及び第２イメージの少なくとも一方はビデオイメージである、請求項１０に記載のコンピュータプログラム製品。
【請求項１４】
前記ディスプレイにおける前記第１及び第２イメージの少なくとも一方の位置を変更するために前記プロセッサに第３コマンドを送信するためのコンピュータコードと、
前記第３コマンドに応答して前記第１及び第２イメージの少なくとも一方の位置を変更する信号を前記プロセッサから前記ディスプレイへ送信するためのコンピュータコードと、
を更に備えた請求項１１に記載のコンピュータプログラム製品。
【請求項１５】
前記ディスプレイにおける前記第１及び第２イメージの少なくとも一方をリサイズするために前記プロセッサに第３コマンドを送信するためのコンピュータコードと、
前記第３コマンドに応答して前記第１及び第２イメージの少なくとも一方をリサイズする信号を前記プロセッサから前記ディスプレイへ送信するためのコンピュータコードと、
を更に備えた請求項１１に記載のコンピュータプログラム製品。
【請求項１６】
前記ディスプレイにおける前記第１及び第２イメージの位置を切り換えるために前記プロセッサに第３コマンドを送信するためのコンピュータコードと、
前記第３コマンドに応答して前記第１及び第２イメージの位置を切り換える信号を前記プロセッサから前記ディスプレイへ送信するためのコンピュータコードと、
を更に備えた請求項１１に記載のコンピュータプログラム製品。
【請求項１７】
前記第１イメージ及び第２イメージをリモート位置へ送信するためのコンピュータコードを更に備えた、請求項１０に記載のコンピュータプログラム製品。
【請求項１８】
前記第１イメージ及び第２イメージを前記電子装置に記憶するためのコンピュータコードを更に備えた、請求項１０に記載のコンピュータプログラム製品。
【請求項１９】
ハウジングと、
前記ハウジングに作動的に接続されたプロセッサと、
前記プロセッサに作動的に接続された少なくとも１つのカメラと、
を備え、２つ以上のイメージを実質的に同時にキャプチャできるようにした電子装置。
【請求項２０】
リモート位置と通信するための電話メカニズムを更に備えた、請求項１９に記載の電子装置。
【請求項２１】
前記少なくとも１つのカメラは、
第１カメラ、及び
第２カメラ
を含む請求項１９に記載の電子装置。
【請求項２２】
入力を更に備え、該入力の操作でイメージをキャプチャするように前記少なくとも１つのカメラに命令する、請求項１９に記載の電子装置。
【請求項２３】
前記プロセッサに作動的に接続されたディスプレイを更に備え、前記キャプチャされたイメージは、このディスプレイに同時に表示される、請求項１９に記載の電子装置。
【請求項２４】
入力を更に備え、この入力は、前記ディスプレイにおける少なくとも１つのイメージの位置を変更するように前記プロセッサに命令する、請求項２３に記載の電子装置。
【請求項２５】
入力を更に備え、この入力は、前記ディスプレイにおける少なくとも１つのイメージのサイズを変更するように前記プロセッサに命令する、請求項２３に記載の電子装置。
【請求項２６】
入力を更に備え、この入力は、前記ディスプレイにおけるイメージの位置を切り換えるように前記プロセッサに命令する、請求項２３に記載の電子装置。
【請求項２７】
前記少なくとも１つのカメラは、スチールイメージをキャプチャするように構成される、請求項１９に記載の電子装置。
【請求項２８】
前記少なくとも１つのカメラは、ビデオイメージをキャプチャするように構成される、請求項１９に記載の電子装置。
【請求項２９】
前記少なくとも１つのカメラは、前記ハウジングにしっかり固定される、請求項１９に記載の電子装置。
【請求項３０】
前記少なくとも１つのカメラは、前記ハウジングに取り外し可能に接続される、請求項１９に記載の電子装置。
【請求項３１】
前記少なくとも１つのカメラは、前記ハウジングとは実質的に独立して照準が合わされる、請求項１９に記載の電子装置。
【請求項３２】
電子装置で複数のイメージを同時にキャプチャするシステムにおいて、
プロセッサと、
前記プロセッサに作動的に接続された入力と、
前記プロセッサに作動的に接続された少なくとも１つのカメラと、
を備え、２つ以上のイメージをポータブル電子装置で実質的に同時にキャプチャできるようにしたシステム。
【請求項３３】
前記少なくとも１つのカメラは、第１カメラ及び第２カメラを含む、請求項３２に記載のシステム。
【請求項３４】
前記少なくとも１つのカメラは、スチールイメージをキャプチャするように構成される、請求項３３に記載のシステム。
【請求項３５】
前記少なくとも１つのカメラは、ビデオイメージをキャプチャするように構成される、請求項３３に記載のシステム。
【請求項３６】
リモート位置と通信するための電話メカニズムを更に備えた、請求項３３に記載のシステム。
【請求項３７】
前記少なくとも１つのカメラにより収集されたイメージがディスプレイに表示される、請求項３３に記載のシステム。
【請求項３８】
前記ディスプレイにおけるイメージの位置を切り換えるように前記入力が前記プロセッサに命令する、請求項３７に記載のシステム。
【請求項３９】
前記ディスプレイにおける少なくとも１つのイメージの位置を変更するように前記入力が前記プロセッサに命令する、請求項３７に記載のシステム。
【請求項４０】
前記ディスプレイにおける少なくとも１つのイメージのサイズを変更するように前記入力が前記プロセッサに命令する、請求項３７に記載のシステム。
【請求項４１】
前記少なくとも１つのカメラは、第１及び第２カメラを含み、これら第１カメラ及び第２カメラの少なくとも１つは、ハウジングとは実質的に独立して照準を合わせることができる、請求項３３に記載のシステム。
【請求項４２】
ハウジングを更に備え、前記少なくとも１つのカメラは、このハウジングに取り外し可能に接続される、請求項３３に記載のシステム。
【請求項４３】
電子装置で複数のイメージを同時にキャプチャするためのモジュールにおいて、
プロセッサと、
前記プロセッサに作動的に接続された入力と、
前記プロセッサに作動的に接続された少なくとも１つのカメラと、
を備え、２つ以上のイメージを前記モジュールにより実質的に同時にキャプチャできるようにしたモジュール。
【請求項４４】
前記少なくとも１つのカメラは、第１カメラ及び第２カメラを含む、請求項４３に記載のモジュール。
【請求項４５】
前記少なくとも１つのカメラは、スチールイメージをキャプチャするように構成される、請求項４３に記載のモジュール。
【請求項４６】
前記少なくとも１つのカメラは、ビデオイメージをキャプチャするように構成される、請求項４３に記載のモジュール。
【請求項４７】
リモート位置と通信するためのメカニズムを更に備えた、請求項４３に記載のモジュール。
【発明の詳細な説明】
【技術分野】
【０００１】
本発明は、一般に、ポータブル電子装置に係る。より詳細には、本発明は、ピクチャー又はビデオ撮影能力を組み込んだポータブル電子装置に係る。
【背景技術】
【０００２】
近年、ポータブル電子装置には種々様々な特徴が組み込まれている。例えば、電話、パーソナルコンピュータ、パーソナルデジタルアシスタント（ＰＤＡ）、デジタルカメラ、ビデオカメラ、及び他の品目を単一の装置に組み込んだ製品が、最近、市場に出現している。このような１つの装置が、Nokia Oyjに発行された米国特許第６，４２４，８４３号に開示されている。そのような別の製品が、NokiaによりCOMMUNICATORという商標で市販されている。
【発明の開示】
【発明が解決しようとする課題】
【０００３】
これらのポータブル電子装置が能力的に益々広範囲になるのと同時に、ユーザは、これらの製品に益々多くの特徴が備わることを望むようになった。例えば、仕事上の旅行者は、移動中に、ポータブル電話、パーソナルデジタルアシスタント、及び小型のパーソナルコンピュータを携帯することを望まない。むしろ、仕事上の旅行者は、これら全ての特徴が単一の装置に合体されたものを好む。これらの装置を自分自身の個人的使用のために購入する個人についても同じ現象が生じている。更に、個人的使用のためにこれらの装置を使用する人々は、装置の「カメラ」特徴に関して付加的な特徴の希望があることも示している。近年、ポータブル電話にカメラを組み込むことが爆発的な人気となっているが、カメラと共に使用するための新たな特徴を人々が期待する事態も招いている。
【課題を解決するための手段】
【０００４】
本発明の原理によれば、好ましくは、カメラ能力をもつポータブル電話の形態のポータブル電子装置が提供される。このポータブル電子装置は、複数のピクチャーを撮影する能力を備えている。又、ポータブル電子装置は、本発明の好ましい実施形態では、２つのこのようなピクチャーを同時に単一のディスプレイに表示する能力を備えている。ピクチャーは、「ピクチャー・イン・ピクチャー」フォーマットで表示することができる。
【０００５】
本発明のこれら及び他の目的、特徴、及び効果は、その動作の編成及び仕方と共に、図面全体にわたり同じ要素が同じ番号で示された添付図面を参照した以下の詳細な説明から明らかとなろう。
【発明を実施するための最良の形態】
【０００６】
図１は、本発明の当該特徴を含む装置８０を一般的に示す。この装置８０は、ディスプレイスクリーン３２、プロセッサ４０、第１カメラ５８、及び第２カメラ５６を備えている。プロセッサ４０は、ディスプレイスクリーン３２、第１カメラ５８及び第２カメラ５６に作動的に接続される。ここに述べるように、第１カメラ５８及び第２カメラ５６は、イメージを独立して収集することができ、これらイメージは、ディスプレイスクリーン３２に同時に表示することができる。
【０００７】
図２−４は、本発明の１つの特定の実施形態に基づいて構成されたポータブル電子装置１０の構造を示す。しかしながら、本発明の原理は、図２−４の装置の形式に限定されず、ポータブル電話、ハンドヘルドコンピュータ、デジタルカメラ、カムコーダ、パーソナルデジタルアシスタント、及びそれらの組み合せを含む（それらに限定されないが）種々様々なポータブル電子装置に適用することができる。図２−４に示すポータブル電子装置１０は、セルラー電話、ハンドヘルドコンピュータ及びパーソナルデジタルアシスタントの組み合せである。このような１つのポータブル電子装置は、NokiaによりCOMMUNICATORというブランド名で市場に出されて販売されている装置で、電話、データ及びインターネット接続性、ワードプロセッサ、スプレッドシート、プレゼンテーションエディタ、ビューア、及び種々のオフィスツールのような特徴を含むと共に、種々のセキュリティ特徴、並びにＶＧＡカメラ、ビデオレコーダ及びその他の品目も含むものである。しかしながら、本発明の原理に基づいて構成された装置には、これらの特徴のいずれも要求されない。
【０００８】
図２−４のポータブル電子装置１０は、ヒンジ素子１４に沿って折り畳み可能なハウジング１２を備えている。このハウジング１２は、ハウジング内部１６及びハウジング外部１８と、ハウジング上部１５及びハウジング下部１７とを備えている。図３に示すように、ハウジング内部１６は、キーボードキー２０及びタッチ感知ディスプレイ２２のような品目を含むことができる。タッチ感知ディスプレイ２２は、種々のアイコン２４、並びにテキスト、数字、イメージ、及び他の項目を表示することができる。又、ハウジング内部１６は、雄及び雌のラッチ部材２６及び２８も含むのが好ましくは、これらラッチ部材は、ハウジング内部１６に見られる品目が使用されないときにポータブル電子装置１０を閉位置に保持するのに使用される。しかしながら、雄及び雌のラッチ部材２６及び２８以外の種々様々なメカニズムも使用できる。例えば、ハウジング上部１５とハウジング下部１７を互いに係合状態に保持するための磁気システムを含むことも考えられる。又、本発明は、いかなる種類のヒンジ機構も含まない、図２及び４に示す装置と同様の装置のような「モノブロック(monoblock)」装置にも適用できる。それ故、本発明は、特定形式の機械的構造によって限定されず、又、本発明の原理を組み込んだモジュールを種々様々な電子装置に関連して使用できることが理解されよう。
【０００９】
図２に示すように、ハウジング外部１８は、本発明のここに示す実施形態では、複数の電話キー３０及びディスプレイスクリーン３２を含む電話システムを備えている。ディスプレイスクリーン３２は、厳密に表示目的のものでもよいし、タッチ感知のものでもよい。又、ハウジング外部１８は、種々のサウンドを発生すると共に、電話通話中に個人の音声を発生するためのスピーカ３４も備えている。スタイラス又は他の物体の形態のデータ入力装置３６が、データ入力装置保管領域３８内に嵌合される。このデータ入力装置保管領域３８は、本発明のここに示す一実施形態では、ハウジング１２の一部分内のスロットで構成される。しかしながら、データ入力装置保管領域３８がハウジング１２の外側で固定メカニズムの形態をとり、これに対して、この技術で知られた種々の方法の１つを使用してデータ入力装置３６を固定できることも考えられる。
【００１０】
図３に示すように、データ入力装置３６は、タッチ感知ディスプレイ２２上の項目を操作するのに使用される。より詳細には、データ入力装置３６は、タッチ感知ディスプレイ２２のアイコン２４を操作して、種々のコマンドを開始し、コンピュータプログラムをオープンし、そしてその他の機能を遂行するのに使用できる。又、データ入力装置３６がタッチ感知ディスプレイ２２と相互作用して、タッチ感知ディスプレイ２２を横切って項目をドラグし、テキストを編集し、オブジェクトを拡大又はリサイズする、等の機能を遂行すると共に、これらと同様に、ユーザがパーソナルコンピュータでマウスを使用して実行できる多数の機能を遂行することも考えられる。
【００１１】
図２に示すように、ポータブル電子装置１０は、第１カメラ５８も備えている。この第１カメラ５８は、本発明のここに示す実施形態では、デジタル写真を撮影することができ、この写真は、次いで、ポータブル電子装置１０に表示することもできるし、内部メモリにセーブすることもできるし、及び／又は電子メールの断片への取り付け又はＵＳＢ接続等のワイヤード接続によるものを含む多数の方法の１つによりリモート位置へ送信することもできる。又、写真は、本発明の１つの特定の実施形態では、ボイスメッセージに添付して送信することもできる。本発明の別の実施形態では、第１カメラ５８及び第２カメラ５６の少なくとも一方を、デジタルスチール写真を与えるのではなく、ビデオをキャプチャ（capture）して表示、記憶又は送信のために使用することもできる。ビデオをキャプチャする場合には、このシステムは、スチールイメージ及びビデオイメージの両方をリモートターミナルへ即座に送信できるビデオ会議のような用途に非常に有用である。
【００１２】
図４に示すように、第２カメラ５６もポータブル電子装置１０のハウジング１２に作動的に接続される。第１カメラ５８と同様に、第２カメラ５６も、本発明のここに示す実施形態では、デジタル写真を撮影することができ、この写真は、次いで、ポータブル電子装置１０に表示することもできるし、内部メモリにセーブすることもできるし、及び／又は電子メールの断片への取り付け又はＵＳＢ接続等のワイヤード接続によるものを含む多数の方法の１つによりリモート位置へ送信することもできる。これらの写真は、第１カメラ５８により写真がキャプチャされるのと実質的に同時に、第２カメラ５６によりキャプチャすることができる。又、この写真は、本発明の１つの特定の実施形態では、ボイスメッセージに添付して送信することもできる。本発明の別の実施形態では、第２カメラ５６も、デジタルスチール写真を与えるのではなく、ビデオをキャプチャして表示、記憶又は送信のために使用することもでき、そして第１ピクチャー６０及び第２ピクチャー６２を言及するときには、全て、ビデオも包含すると解釈されたい。第１ピクチャー６０及び第２ピクチャー６２は、両方とも、本発明の一実施形態によれば、図２に示すディスプレイスクリーンの下に位置する複数の入力ボタン３３を使用することにより撮影される。
【００１３】
本発明の好ましい実施形態において、第１カメラ５８及び第２カメラ５６は、両方とも、ポータブル電子装置１０にしっかり固定される。しかしながら、第１カメラ５８及び第２カメラ５６の一方又は両方がポータブル電子装置１０にしっかり固定されることも考えられる。本発明の別の実施形態では、第１カメラ５８及び第２カメラ５６の少なくとも一方が取り外し可能でもよい。更に、本発明の更に別の実施形態によれば、特定のカメラをポータブル電子装置１０とは独立して照準を合わせられるようにする固定メカニズム（図示せず）により、第１カメラ５８及び第２カメラ５６の少なくとも一方をポータブル電子装置１０に固定してもよい。
【００１４】
図６に示すように、ディスプレイスクリーン３２は、図２の第１カメラ５８により発生された第１ピクチャー６０と、図４の第２カメラ５６により発生された第２ピクチャー６２とを表示するように使用される。第１ピクチャー６０及び／又は第２ピクチャー６２の一部分だけを表示することもでき、ここでの説明は、この能力も含むと解釈されるべきであることを理解されたい。本発明のここに示す実施形態では、ディスプレイスクリーン３２は、テキストメッセージ、電話番号、及び他の項目も表示するように使用されるが、個別のスクリーンを使用することもできる。図６に明確に示すように、ディスプレイスクリーン３２は、第１ピクチャー６０及び第２ピクチャー６２の両方を「ピクチャー・イン・ピクチャー」フォーマットで同時に表示することができる。この特徴は、ユーザが単一のスクリーン上で多数のイメージを見、及び／又はそれらを送信できるようにする。第１ピクチャー６０及び第２ピクチャー６２は、両方とも、本発明の一実施形態によれば、図２に示すディスプレイスクリーンの下に位置する複数の入力ボタン３３を使用することにより撮影できる。本発明の別の実施形態では、少なくとも１つのピクチャーを撮影するためのコマンドは、ボイスコマンドにより開始されてもよいし、又はリモート装置を介して開始されてもよい。更に、第１ピクチャー６０及び第２ピクチャー６２を言及するときには、これらイメージの少なくとも一方がビデオの形態でもよく、スチール写真に限定されないことに注意されたい。
【００１５】
本発明のここに示す実施形態では、第２カメラ５６は、図４に示すように、ポータブル電子装置１０の電話要素を含むハウジング１２の部分とは実質的に反対のハウジング外部１８に配置される。第２カメラ５６をこの位置に配置することにより、ユーザは、自分の前方の物体のピクチャー又はビデオを撮影すると同時に、得られる第１ピクチャー６０を見ることができる。更に、第１カメラ５８は、ポータブル電子装置１０の電話要素に接近した外部ハウジング１２の部分に配置され、そして第２カメラ５６は、第１カメラ５８とは実質的に独立して照準を合わせられるのが好ましい。本発明のこの特定の実施形態では、第１カメラ５８の位置付けによりユーザが自分自身のピクチャー又はビデオを撮影するのと同時に、別の物体の個別のピクチャー又はビデオを撮影するのを許す。
【００１６】
上述した特徴に加えて、ユーザは、本発明の種々の実施形態において、第１ピクチャー６０及び第２ピクチャー６２の両方を操作する能力をもつこともできる。例えば、これに限定されないが、ユーザは、第１ピクチャー６０の位置をディスプレイスクリーン３２の１つの角から別の角へ移動することができ、又は必要に応じて、ディスプレイスクリーン３２の中心に向けて移動することができる。この特徴は、ユーザが第１ピクチャー６０をディスプレイスクリーン３２のある部分へ移動して、第２ピクチャー６２の特に関心のある部分が見えるようにしたい場合に、使用することができる。更に、第１ピクチャー６０を、必要に応じて、ディスプレイスクリーンにおいて、拡大、縮小又はその他リサイズすることもできる。更に、ユーザは、第２ピクチャー６２が第１ピクチャー６０より著しく小さくなるように、第１ピクチャー６０及び第２ピクチャー６２を「切り換える」こともできる。このような状況では、ユーザは、第１ピクチャー６０について上述したのと実質的に同様に、第２ピクチャー６２もリサイズ及び／又は移動することができる。本発明の別の実施形態では、ユーザは、「ピクチャー・イン・ピクチャー」フォーマットを使用するのではなく、第１ピクチャー６０を第２ピクチャー６２の上又は下に隣接して示す「スプリットスクリーン」を形成することもできるし、或いは第１ピクチャー６０及び第２ピクチャー６２が部分的にしか重畳しないように位置付けを変更することもできる。
【００１７】
図５は、図２−４のポータブル電子装置１０の重要機能要素を示す構造図である。図５に示すように、プロセッサ４０は、タッチ感知ディスプレイ２２、電話キー３０、データ入力装置３６、キーボードキー２０、及び他の品目、例えば、データ通信リンク４６及び電話リンク４８を含む（それらに限定されないが）種々のソースから受け取られた情報を処理する。これら品目及び他の品目の種々の組み合せをプロセッサ４０に作動的に接続することができる。本発明のこの特定の実施形態では、データ入力装置センサ４２及びラッチ部材センサ４４もプロセッサ４０に作動的に接続することもでき、データ入力装置センサ４２は、データ入力装置保管領域３８内にスタイラス３６が位置されているかどうかを決定すると共に、雄ラッチ部材２６及び雌ラッチ部材２８が互いに係合されたかどうかも決定する。又、プロセッサ４０は、バイブレータ５０のような出力装置、及び／又はライト５２の形態のディスプレイ、並びに他の潜在的な出力装置に作動的に接続することもできる。更に、第１カメラ５８及び第２カメラ５６は、両方とも、プロセッサ４０に作動的に接続される。プロセッサ４０は、一体的なメモリユニットを含むこともできるし、或いは個別のメモリ（図示せず）に作動的に接続することもできる。
【００１８】
図７は、本発明の一実施形態に基づき第１ピクチャー６０及び第２ピクチャー６２の両方を撮影してディスプレイスクリーン３２に表示するのに伴うプロセスを示すフローチャートである。しかしながら、第１ピクチャー６０及び第２ピクチャー６２を撮影して表示するための種々の異なるプロセスが使用でき、当業者であれば、これらプロセスを理解できるであろう。
【００１９】
図７に示すように、ユーザが第１ピクチャー６０及び第２ピクチャー６２の両方を撮影して表示するプロセスは、ユーザが第１ピクチャー６０を撮影するための入力コマンドを出すことで始まり、これが１００で示されている。同時に、このステップ１００の前又は後に、ユーザは、第２ピクチャー６２を撮影するためのコマンドを出し、これが１０２で示されている。本発明の別の実施形態では、ユーザが単一の入力コマンドを入力するだけでよく、その後に、第１ピクチャー６０及び第２ピクチャー６２の両方がキャプチャされる。ステップ１００及び１０２では、第１ピクチャー６０及び第２ピクチャー６２が、その後の使用のために各々処理される。次いで、ポータブル電子装置１０は、１０４で示すように、第１ピクチャー６０をディスプレイスクリーン３２に表示すると共に、１０６で示すように、第２ピクチャー６２をディスプレイスクリーン３２に表示する。本発明の別の実施形態では、第１ピクチャー６０又は第２ピクチャー６２のいずれをより小さいフォームで表示するかについてのデフォールト設定がある。或いは又、第１ピクチャー６０及び第２ピクチャー６２は、装置８０のメモリに記憶することもできるし、或いはそれらをリモートターミナルへ送信するか、さもなければ、種々の仕方で更に処理することもできる。第１ピクチャー６０及び第２ピクチャー６２がリモートターミナルへ送信される場合には、ＷＬＡＮ、ブルーツース及び「オーバー・ジ・エア(over the air)」セルラー接続、又は当業者に知られた他の接続を含む（それらに限定されないが）接続によりそれを達成することができる。
【００２０】
本発明の一実施形態によれば、第１ピクチャー６０及び第２ピクチャー６２が表示されると、ユーザは、第１ピクチャー６０及び第２ピクチャー６２の両方を変更するために種々の異なるコマンドを入力することができる。例えば、図６に示すように、ユーザは、ディスプレイスクリーン３２上で第１ピクチャー６０及び／又は第２ピクチャー６２の位置を移動し（ステップ１０８）、ディスプレイスクリーン３２上で第１ピクチャー６０及び／又は第２ピクチャー６２を拡大し（ステップ１１０）、ディスプレイスクリーン３２上で第１ピクチャー６０及び／又は第２ピクチャー６２を縮小し（ステップ１１２）、ディスプレイスクリーン３２上で第１ピクチャー６０及び／又は第２ピクチャー６２の形状をリサイズし（ステップ１１４）、ディスプレイスクリーン３２上で第１ピクチャー６０又は第２ピクチャー６２の画質を調整し（ステップ１１６）、そして第１ピクチャー６０及び第２ピクチャー６２の位置及びサイズを「ひっくり返す(flip)」ためのコマンドを出すことができる。当業者に明らかなように、ユーザにより、第１ピクチャー６０及び第２ピクチャー６２の他の操作を行うこともできる。前記ステップは、全て、種々のステップを遂行するためのコンピュータコードを含むコンピュータソフトウェアプログラム又は製品の使用により達成することができる。
【００２１】
第１ピクチャー６０及び第２ピクチャー６２の操作は、本発明の一実施形態によれば、複数の入力ボタン３３を使用して達成される。しかしながら、多数のラップトップコンピュータで使用される形式の「消しゴム型(eraser-type)」マウス（図示せず）や、タッチ感知ディスプレイにおけるタッチ感知パッド又はオプションの使用を含む種々のメカニズムを使用して、この操作を達成することができる。
【００２２】
本発明の別の実施形態が図８に示されており、これについて説明する。この別の実施形態では、単一のカメラを使用して、第１ピクチャー６０及び第２ピクチャー６２の両方が撮影される。この別の実施形態では、図７に示す実施形態のように、ユーザは、１００で示すように、第１ピクチャー６０を撮影するための入力コマンドを出す。しかしながら、個別のカメラを使用するのではなく、ユーザは、２００で示すように、その後、同じカメラで第２ピクチャー６２を撮影するための入力コマンドを出す。このプロセスに含まれる他のステップは、図７に示したプロセスと実質的に同一である。
【００２３】
多数の好ましい実施形態を図示して説明したが、本発明の広い見地から逸脱せずに本発明に対して変更や修正がなされ得ることが理解されよう。例えば、上述したように、本発明によるモジュールは、種々様々な電子装置を含むことができ、カメラ電話や他の特定の機械的実施に限定されるものではない。又、３つ以上のカメラを使用すると共に、３つ以上のイメージを単一のディスプレイに表示できることも考えられる。又、同じ装置で当該イメージのキャプチャとそれらの表示の両方を行う必要はないことにも注意されたい。例えば、ポータブル電子装置は、ｅメール又は同様の方法により送信された一対のイメージを表示することができる。本発明の種々の特徴は、特許請求の範囲に規定される。
【図面の簡単な説明】
【００２４】
【図１】本発明の特徴を含む一般的装置の斜視図である。
【図２】本発明の一実施形態により構成されたポータブル電子装置の外部ケーシングを示す前面図である。
【図３】開位置にあるときの図２のポータブル電子装置の内部を示す図である。
【図４】図２のポータブル電子装置の外部ケーシングを示す後面図である。
【図５】本発明の一実施形態により構成されたポータブル電子装置における多数のカメラの配置を示す構造図である。
【図６】図２のポータブル電子装置のディスプレイスクリーンを示す図で、第１カメラ及び第２カメラの両方からのピクチャーが同時に表示されるところを示した図である。
【図７】図５のシステムにより異なるカメラから多数のピクチャーを発生して表示するプロセスを示す機能的フローチャートである。
【図８】本発明の別の実施形態により単一のカメラから多数のピクチャーを発生して表示するプロセスを示す機能的フローチャートである。
【図１】
2008507227.tif 000003
【図２】
2008507227.tif 000004
【図３】
2008507227.tif 000005
【図４】
2008507227.tif 000006
【図５】
2008507227.tif 000007
【図６】
2008507227.tif 000008
【図７】
2008507227.tif 000009
【図８】
2008507227.tif 000010
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
電子装置で複数のイメージを同時にキャプチャする方法において、
第１イメージをキャプチャするためにプロセッサへ第１コマンドを送信するステップと、
第２イメージをキャプチャするために前記プロセッサへ第２コマンドを送信するステップと、
前記第１コマンドに応答して前記第１イメージをキャプチャするステップと、
前記第２コマンドに応答して前記第２イメージをキャプチャするステップであって、前記プロセッサに作動的に接続された１つのキャプチャ装置を使用して前記第１及び第２イメージのキャプチャを実行できるようにしたステップと、
前記第１及び第２イメージに関するデータを処理するステップと、
前記第１及び第２イメージをディスプレイへ送信するステップと、
前記第１及び第２イメージをメモリに記憶せずに、前記第１及び第２イメージの一方と、前記第１及び第２イメージの他方の一部分とを前記ディスプレイに同時に表示するステップと、
を備えた方法。
【請求項２】
前記第１及び第２イメージの少なくとも一方は写真である、請求項１に記載の方法。
【請求項３】
前記第１及び第２イメージの少なくとも一方はビデオイメージである、請求項１に記載の方法。
【請求項４】
前記ディスプレイにおける前記第１及び第２イメージの少なくとも一方の位置を変更するために前記プロセッサへ第３コマンドを送信するステップと、
前記第３コマンドに応答して前記第１及び第２イメージの少なくとも一方の位置を変更する信号を前記プロセッサから前記ディスプレイへ送信するステップと、
を更に備えた請求項１に記載の方法。
【請求項５】
前記ディスプレイにおける前記第１及び第２イメージの少なくとも一方をリサイズするために前記プロセッサへ第３コマンドを送信するステップと、
前記第３コマンドに応答して前記第１及び第２イメージの少なくとも一方をリサイズする信号を前記プロセッサから前記ディスプレイへ送信するステップと、
を更に備えた請求項１に記載の方法。
【請求項６】
前記ディスプレイにおける前記第１及び第２イメージの位置を切り換えるために前記プロセッサへ第３コマンドを送信するステップと、
前記第３コマンドに応答して前記第１及び第２イメージの位置を切り換える信号を前記プロセッサから前記ディスプレイへ送信するステップと、
を更に備えた請求項１に記載の方法。
【請求項７】
前記第１イメージ及び第２イメージを前記電子装置に記憶するステップを更に備えた、請求項１に記載の方法。
【請求項８】
前記第１イメージ及び第２イメージをリモート位置へ送信するステップを更に備えた、請求項１に記載の方法。
【請求項９】
電子装置で複数のイメージを同時にキャプチャするためのコンピュータプログラム製品において、
第１イメージをキャプチャするためにプロセッサへ第１コマンドを送信するコンピュータコードと、
第２イメージをキャプチャするために前記プロセッサへ第２コマンドを送信するコンピュータコードと、
前記第１コマンドに応答して前記第１イメージをキャプチャするためのコンピュータコードと、
前記第２コマンドに応答して前記第２イメージをキャプチャするためのコンピュータコードであって、前記プロセッサに作動的に接続された１つのキャプチャ装置を使用して前記第１及び第２イメージのキャプチャを実行できるようにしたコンピュータコードと、
前記第１及び第２イメージに関するデータを処理するためのコンピュータコードと、
前記第１及び第２イメージをディスプレイへ送信するためのコンピュータコードと、
前記第１及び第２イメージをメモリに記憶せずに、前記第１及び第２イメージの一方と、前記第１及び第２イメージの他方の一部分とを前記ディスプレイに同時に表示するためのコンピュータコードと、
を備えたコンピュータプログラム製品。
【請求項１０】
前記第１及び第２イメージの少なくとも一方は写真である、請求項９に記載のコンピュータプログラム製品。
【請求項１１】
前記第１及び第２イメージの少なくとも一方はビデオイメージである、請求項９に記載のコンピュータプログラム製品。
【請求項１２】
前記ディスプレイにおける前記第１及び第２イメージの少なくとも一方の位置を変更するために前記プロセッサへ第３コマンドを送信するためのコンピュータコードと、
前記第３コマンドに応答して前記第１及び第２イメージの少なくとも一方の位置を変更する信号を前記プロセッサから前記ディスプレイへ送信するためのコンピュータコードと、
を更に備えた請求項９に記載のコンピュータプログラム製品。
【請求項１３】
前記ディスプレイにおける前記第１及び第２イメージの少なくとも一方をリサイズするために前記プロセッサへ第３コマンドを送信するためのコンピュータコードと、
前記第３コマンドに応答して前記第１及び第２イメージの少なくとも一方をリサイズする信号を前記プロセッサから前記ディスプレイへ送信するためのコンピュータコードと、
を更に備えた請求項９に記載のコンピュータプログラム製品。
【請求項１４】
前記ディスプレイにおける前記第１及び第２イメージの位置を切り換えるために前記プロセッサへ第３コマンドを送信するためのコンピュータコードと、
前記第３コマンドに応答して前記第１及び第２イメージの位置を切り換える信号を前記プロセッサから前記ディスプレイへ送信するためのコンピュータコードと、
を更に備えた請求項９に記載のコンピュータプログラム製品。
【請求項１５】
前記第１イメージ及び第２イメージをリモートターミナルへ送信するためのコンピュータコードを更に備えた、請求項９に記載のコンピュータプログラム製品。
【請求項１６】
前記第１イメージ及び第２イメージを前記電子装置に記憶するためのコンピュータコードを更に備えた、請求項９に記載のコンピュータプログラム製品。
【請求項１７】
ハウジングと、
前記ハウジングに作動的に接続されたプロセッサと、
前記プロセッサに作動的に接続された第１カメラと、
を備え、少なくとも２つのイメージが、前記電子装置により実質的に同時にキャプチャされ、そしてそれら少なくとも２つのイメージがメモリに記憶されずに、前記プロセッサに作動的に接続されたディスプレイに同時に表示され、それら少なくとも２つのイメージの一方と、それら少なくとも２つのイメージの他方の一部分とを見ることができるようにした電子装置。
【請求項１８】
リモート位置と通信するための電話メカニズムを更に備えた、請求項１７に記載の電子装置。
【請求項１９】
第２カメラを更に備えた、請求項１７に記載の電子装置。
【請求項２０】
入力を更に備え、この入力の操作でイメージをキャプチャするように前記第１カメラに命令する、請求項１７に記載の電子装置。
【請求項２１】
入力を更に備え、この入力は、前記ディスプレイにおける少なくとも１つのイメージの位置を変更するように前記プロセッサに命令する、請求項１７に記載の電子装置。
【請求項２２】
入力を更に備え、この入力は、前記ディスプレイにおける少なくとも１つのイメージのサイズを変更するように前記プロセッサに命令する、請求項１７に記載の電子装置。
【請求項２３】
入力を更に備え、この入力は、前記ディスプレイにおけるイメージの位置を切り換えるように前記プロセッサに命令する、請求項１７に記載の電子装置。
【請求項２４】
前記第１カメラは、スチールイメージをキャプチャするように構成される、請求項１７に記載の電子装置。
【請求項２５】
前記第１カメラは、ビデオイメージをキャプチャするように構成される、請求項１７に記載の電子装置。
【請求項２６】
前記第１カメラは、前記ハウジングにしっかりと固定される、請求項１７に記載の電子装置。
【請求項２７】
前記第１カメラは、前記ハウジングに取り外し可能に接続される、請求項１７に記載の電子装置。
【請求項２８】
前記第１カメラは、前記ハウジングとは実質的に独立して照準が合わされる、請求項１７に記載の電子装置。
【請求項２９】
電子装置で複数のイメージを同時にキャプチャするシステムにおいて、
プロセッサと、
前記プロセッサに作動的に接続された入力と、
前記プロセッサに作動的に接続された第１カメラと、
を備え、少なくとも２つのイメージが、前記電子装置により実質的に同時にキャプチャされ、そしてそれら少なくとも２つのイメージがメモリに記憶されずに、前記プロセッサに作動的に接続されたディスプレイに同時に表示され、それら少なくとも２つのイメージの一方と、それら少なくとも２つのイメージの他方の一部分とを見ることができるようにしたシステム。
【請求項３０】
第２カメラを更に備えた、請求項２９に記載のシステム。
【請求項３１】
前記第１カメラは、スチールイメージをキャプチャするように構成される、請求項３０に記載のシステム。
【請求項３２】
前記第１カメラは、ビデオイメージをキャプチャするように構成される、請求項３０に記載のシステム。
【請求項３３】
リモート位置と通信するための電話メカニズムを更に備えた、請求項３０に記載のシステム。
【請求項３４】
前記ディスプレイにおけるイメージの位置を切り換えるように前記入力が前記プロセッサに命令する、請求項２９に記載のシステム。
【請求項３５】
前記ディスプレイにおける少なくとも１つのイメージの位置を変更するように前記入力が前記プロセッサに命令する、請求項２９に記載のシステム。
【請求項３６】
前記ディスプレイにおける少なくとも１つのイメージのサイズを変更するように前記入力が前記プロセッサに命令する、請求項２９に記載のシステム。
【請求項３７】
前記カメラは、第１及び第２カメラより成り、これら第１カメラ又は第２カメラの少なくとも１つは、ハウジングとは実質的に独立して照準を合わせることができる、請求項３０に記載のシステム。
【請求項３８】
ハウジングを更に備え、前記第１カメラは、このハウジングに取り外し可能に接続される、請求項３０に記載のシステム。
【請求項３９】
電子装置で複数のイメージを同時にキャプチャするためのモジュールにおいて、
プロセッサと、
前記プロセッサに作動的に接続された入力と、
前記プロセッサに作動的に接続された第１カメラと、
を備え、少なくとも２つのイメージが、このモジュールにより実質的に同時にキャプチャされ、そしてそれら少なくとも２つのイメージがメモリに記憶されずに、前記プロセッサに作動的に接続されたディスプレイに同時に表示され、それら少なくとも２つのイメージの一方と、それら少なくとも２つのイメージの他方の一部分とを見ることができるようにしたモジュール。
【請求項４０】
第２カメラを更に備えた、請求項３９に記載のモジュール。
【請求項４１】
前記第１カメラは、スチールイメージをキャプチャするように構成される、請求項３９に記載のモジュール。
【請求項４２】
前記第１カメラは、ビデオイメージをキャプチャするように構成される、請求項３９に記載のモジュール。
【請求項４３】
リモート位置と通信するためのメカニズムを更に備えた、請求項３９に記載のモジュール。
【請求項４４】
前記第１及び第２イメージは、ピクチャー・イン・ピクチャーフォーマットで表示される、請求項１に記載の方法。
【請求項４５】
前記第１及び第２イメージは、ピクチャー・イン・ピクチャーフォーマットで表示される、請求項９に記載のコンピュータプログラム製品。
【請求項４６】
前記少なくとも２つのイメージは、ピクチャー・イン・ピクチャーフォーマットで表示される、請求項１７に記載の電子装置。
【請求項４７】
前記少なくとも２つのイメージは、ピクチャー・イン・ピクチャーフォーマットで表示される、請求項２９に記載のシステム。
【請求項４８】
前記少なくとも２つのイメージは、ピクチャー・イン・ピクチャーフォーマットで表示される、請求項３９に記載のモジュール。
【国際調査報告】
2008507227.tif 000011
2008507227.tif 000012
2008507227.tif 000013
2008507227.tif 000014